(57)【特許請求の範囲】
【請求項１】
細長いチューブ内に軸方向に進退自在に操作ワイヤを配置してその操作ワイヤの先端にブラシ毛を取り付け、上記チューブの基端側に設けられた操作部において上記操作ワイヤを進退操作することにより、上記チューブの先端に形成された筒状部内に上記ブラシ毛が出入りするようにした内視鏡用カバー付ブラシにおいて、
上記操作部の中間部分には、上記チューブ内に流体を注入するための注入口を側方に向けて突設して、その注入口の後方に人指し指又は中指を挿入可能な間隔をあけて鍔を突設すると共に、上記操作部の後端部分には、上記操作ワイヤの基端に連結されて親指を挿入可能な親指かけを上記鍔に対して移動自在に上記鍔の後方に配置し、上記操作部の前端部分においては、上記チューブの基端部分を外方に広がる方向に直角に折り曲げてその部分を上記操作部に押さえナットで軸線方向に押圧固定したことを特徴とする内視鏡用カバー付ブラシ。
【請求項２】
上記注入口と上記鍔との間の位置に、上記操作ワイヤの外面に直接密接するシール用Ｏリングが配置されている請求項１記載の内視鏡用カバー付ブラシ。
【発明の詳細な説明】
【０００１】
【発明の属する技術分野】
この発明は、内視鏡の鉗子チャンネルに通されて擦過細胞診を行うために用いられる内視鏡用カバー付ブラシに関する。
【０００２】
【従来の技術】
図４は従来の内視鏡用カバー付ブラシを示しており、細長い可撓性チューブ５１内に軸方向に進退自在に操作ワイヤ５２が挿通されている。そして、その操作ワイヤ５２の先端に取り付けられたブラシ毛５３が、可撓性チューブ５１先端に形成された筒状部５４内に出入り自由に配置されている。
【０００３】
可撓性チューブ５１の基端には摘まみ５５が連結されていて、その摘まみ５５を指先で摘まみ、操作ワイヤ５２の基端に連結された指かけ５６を進退操作することによって、ブラシ毛５３を患部の表面に擦り付けたり筒状部５４内に出入りさせることができる。
【０００４】
しかし、上記のような内視鏡用カバー付ブラシでは、摘まみ５５を摘んだ方の手で指かけ５６の操作をすることはできないので、操作のために両手が必要であり、非常に不便な場合が多い。
【０００５】
そこで、図５に示されるように、操作ワイヤ５２の進退方向にスライド自在なスライダ輪６１を有する操作部６０を、可撓性チューブ５１の基端に連結したものが用いられている。６２は、可撓性チューブ５１を操作部６０に固定するためのチューブ固定環、６３は、操作ワイヤ５２をスライダ輪６１に固定するためのワイヤ固定環である。
【０００６】
このような内視鏡用カバー付ブラシの場合は、操作部６０の本体に設けられた親指かけ６４に親指を通して、同じ手の人指し指と中指をスライダ輪６１に引っかけて移動させることにより、操作ワイヤ５２を介して先端のブラシ毛５３を進退操作することができる。
【０００７】
【発明が解決しようとする課題】
内視鏡装置本体だけでなく、各種処置具類についても、使用後に完全な洗浄消毒を行えるようにすることが求められている。したがって、内視鏡用カバー付ブラシの場合は、可撓性チューブ５１内に洗浄液を流せるようにすることが望ましい。
【０００８】
しかし、図５に示されるような従来の内視鏡用カバー付ブラシでは、もともと操作部が非常に大型になっているから、この操作部にさらに洗浄液注入口を設けると、操作部部分がますます大型化して、操作性が著しく悪くなってしまう。
【０００９】
そこで本発明は、チューブ内を洗浄するための洗浄液注入口を有し、しかも小型で容易に片手操作することのできる内視鏡用カバー付ブラシを提供することを目的とする。
【００１０】
【課題を解決するための手段】
上記の目的を達成するため、本発明の内視鏡用カバー付ブラシは、細長いチューブ内に軸方向に進退自在に操作ワイヤを配置してその操作ワイヤの先端にブラシ毛を取り付け、上記チューブの基端側に設けられた操作部において上記操作ワイヤを進退操作することにより、上記チューブの先端に形成された筒状部内に上記ブラシ毛が出入りするようにした内視鏡用カバー付ブラシにおいて、上記操作部には、上記チューブ内に流体を注入するための注入口を側方に向けて突設して、その注入口の後方に人指し指又は中指を挿入可能な間隔をあけて鍔を突設すると共に、上記操作ワイヤの基端に連結されて親指を挿入可能な親指かけを、上記鍔に対して移動自在に上記鍔の後方に配置したことを特徴とする。
【００１１】
【発明の実施の形態】
図面を参照して、本発明の実施の形態を説明する。
図１は本発明の実施の形態の内視鏡用カバー付ブラシを示しており、例えば四フッ化エチレン樹脂製の細長い可撓性チューブ１内に、操作ワイヤ２が軸方向に進退自在に挿通されている。操作ワイヤ２の先端にはブラシ毛３が取り付けられていて、可撓性チューブ１の先端に形成された筒状部４内に前方から出入り自由になっている。
【００１２】
可撓性チューブ１の基端側には操作部１０が設けられている。操作部１０は、可撓性チューブ１の基端に連結された固定部１１と、その後方において操作ワイヤ２の基端に連結された可動部１２とによって構成されている。可動部１２には、親指を挿入可能な親指かけ１２１が、操作ワイヤ２の軸線まわりに回転自在に取り付けられている。
【００１３】
図２は、固定部１１を拡大して示しており、本体１１１の先端側に螺着された押さえナット１１２によって、可撓性チューブ１の基端が本体１１１に押し付け固定されている。
【００１４】
本体１１１内には、操作ワイヤ２が真っ直ぐに突き抜けるワイヤ挿通孔１１３が貫通して穿設されている。そして、そのワイヤ挿通孔１１３に洗浄液等の液体を注入するための注入口１１４が、本体１１１から側方に向けて突設されている。
【００１５】
この注入口１１４は、いわゆるルアーロックタイプの注射針口金と同形状であり、本体１１１の外周面に沿わせた人差し指又は中指が引っかかる程度の高さ（例えば１ｃｍないし２ｃｍ程度）に本体１１１から略直角に突設されており、本体１１１の内部では、ワイヤ挿通孔１１３に対してＴ字状に連通している。
【００１６】
本体１１１の後端側に螺着された軸体１１６には、フランジ状の鍔１１７が形成されている。この鍔１１７と注入口１１４との間には、人指し指又は中指を挿入可能な間隔Ｌが形成されており、間隔Ｌの長さは、例えば１．５ｃｍないし２ｃｍ程度である。また、鍔１１７の高さは、本体１１１の外周面に沿わせた人指し指及び中指が引っかかる程度の高さ（例えば１ｃｍないし２ｃｍ程度）である。
【００１７】
軸体１１６の中心軸位置には、操作ワイヤ２が真っ直ぐに突き抜けるワイヤ挿通孔１１８が貫通して穿設されている。そして、そのワイヤ挿通孔１１８と操作ワイヤ２との間の隙間には、その部分をシールするＯリング１１９が装着されている。
【００１８】
このように構成された内視鏡用カバー付ブラシは、使用時には、図３に示されるように、注入口１１４と鍔１１７の間に人指し指と中指を引っかけ、それと同じ手の親指を親指かけ１２１に通して移動操作することにより、操作ワイヤ２を介して先端のブラシ毛３を進退させ、片手操作で、ブラシ毛３を患部の表面に擦り付けたり筒状部４内に出入りさせることができる。
【００１９】
そして使用後には、注入口１１４から洗浄液を注入することにより、可撓性チューブ１内を全長にわたって洗浄消毒することができ、しかも操作部１０を非常に小型に構成することができる。
【００２０】
【発明の効果】
本発明によれば、操作部に突設された注入口から液体を注入してチューブ内を容易に洗浄消毒することができると共に、その注入口部分と鍔との間に人指し指と中指を引っかけ、それと同じ手の親指を親指かけに引っかけて容易に片手で操作することができ、しかも操作部を非常に小型にコンパクトに形成することができて取り回し性もよい。
【図面の簡単な説明】
【図１】本発明の実施の形態の内視鏡用カバー付ブラシの側面図である。
【図２】本発明の実施の形態の内視鏡用カバー付ブラシの部分拡大側面断面図である。
【図３】本発明の実施の形態の内視鏡用カバー付ブラシの操作状態の側面図である。
【図４】従来の内視鏡用カバー付ブラシの側面図である。
【図５】従来の異なる内視鏡用カバー付ブラシの側面図である。
【符号の説明】
１  可撓性チューブ
２  操作ワイヤ
３  ブラシ毛
４  筒状部
１０  操作部
１１４  注入口
１１７  鍔
１２１  親指かけ
【図１】
0003670737.tif 000002
【図２】
0003670737.tif 000003
【図３】
0003670737.tif 000004
【図４】
0003670737.tif 000005
【図５】
0003670737.tif 000006